(57)【特許請求の範囲】
【請求項１】
基板と、
前記基板上に設けられ、網目状に配置された複数の導体線を有する網目状電極と、
前記網目状電極の外縁の少なくとも一部に設けられ、前記網目状電極と一体的に形成された外縁配線と、を備え、
前記導体線は、前記外縁配線との接続部における前記導体線の少なくとも一方側部に設けられ、前記外縁配線に近づくに従って漸次的に幅広となる幅広部を含み、
下記（１）式及び（２）式を満たすことを特徴とするタッチセンサ。
Ａ≦１００［μｍ］・・・（１）
Ｂ／Ａ≧１／２・・・（２）
但し、上記（１）式及び（２）式において、Ａは前記外縁配線の幅であり、Ｂは前記幅広部が設けられている部分における前記導体線の最大幅である。
【請求項２】
請求項１に記載のタッチセンサであって、
下記（３）式を満たすことを特徴とするタッチセンサ。
Ｃ／Ａ≧１／２０・・・（３）
但し、上記（３）式において、Ｃは前記幅広部を除いた前記導体線の幅である。
【請求項３】
凹版に形成された凹パターンに導電性ペーストを充填し、前記凹版に対してドクターブレードを摺動させる第１の工程と、
前記導電性ペーストを被転写体に転写する第２の工程と、を備えたタッチセンサの製造方法であって、
前記凹パターンは、
網目状に配置された複数の線状凹部を有する網目状凹部と、
前記網目状凹部の外縁の少なくとも一部と連続的に設けられた外縁凹部と、を有し、
前記線状凹部は、前記外縁凹部と接続する部分における前記線状凹部の少なくとも一方側部に設けられ、前記外縁凹部に近づくに従って漸次的に幅広となる幅広凹部を含み、
下記（４）式及び（５）式を満たすことを特徴とするタッチセンサの製造方法。
ａ≦１００［μｍ］・・・（４）
ｂ／ａ≧１／２・・・（５）
但し、上記（４）式及び（５）式において、ａは前記外縁凹部の幅であり、ｂは前記幅広凹部が設けられている部分における前記線状凹部の最大幅である。
【請求項４】
請求項３に記載のタッチセンサの製造方法であって、
下記（６）式を満たすことを特徴とするタッチセンサの製造方法。
ｃ／ａ≧１／２０・・・（６）
但し、上記（６）式において、ｃは前記幅広凹部を除いた前記線状凹部の幅である。
【請求項５】
請求項１又は２に記載のタッチセンサであって、
前記外縁配線は、
第１の方向に沿って延在し、且つ、前記網目状電極に接続された第１の延在配線部と、
前記第１の延在配線部から第２の方向に沿って延在し、且つ、前記網目状電極に接続された第２の延在配線部と、を有し、
前記第１の方向と、前記第２の方向と、は異なる直線上の方向であることを特徴とするタッチセンサ。
【請求項６】
請求項５に記載のタッチセンサであって、
下記（７）式を満たすことを特徴とするタッチセンサ。
１５［°］＜θ＜１６５［°］・・・（７）
但し、上記（７）式において、θは前記第１の方向と前記第２の方向との間における前記網目状電極が接続されている側の角度である。
【請求項７】
請求項１、２、５又は６に記載のタッチセンサであって、
前記外縁配線は、曲線状の部分を有することを特徴とするタッチセンサ。
【請求項８】
請求項３又は４に記載のタッチセンサの製造方法であって、
前記外縁凹部は、
第１の方向に沿って延在し、且つ、前記網目状凹部に接続された第１の延在部と、
前記第１の延在部から第２の方向に沿って延在し、且つ、前記網目状凹部に接続された第２の延在部と、を有し、
前記第１の方向と、前記第２の方向と、は異なる直線上の方向であることを特徴とするタッチセンサの製造方法。
【請求項９】
請求項８に記載のタッチセンサの製造方法であって、
下記（８）式を満たすことを特徴とするタッチセンサの製造方法。
１５［°］＜θ＜１６５［°］・・・（８）
但し、上記（８）式において、θは前記第１の方向と前記第２の方向との間における前記網目状凹部が接続されている側の角度である。
【請求項１０】
請求項３、４、８又は９に記載のタッチセンサの製造方法であって、
前記外縁凹部は、曲線状の部分を有することを特徴とするタッチセンサの製造方法。
【発明の詳細な説明】
【技術分野】
【０００１】
本発明は、タッチパネルやタッチキー等に用いられるタッチセンサ及びその製造方法に関するものである。
【背景技術】
【０００２】
金、銀等の導電性粉末を有する導電性組成物を、電極フィルム上に凹版から転写して印刷することにより、当該電極フィルム上に導電メッシュを形成したタッチパネル用電極フィルムが知られている（例えば特許文献１参照）。
【先行技術文献】
【特許文献】
【０００３】
【特許文献１】特開２０１０−２５７３５０号公報
【発明の概要】
【発明が解決しようとする課題】
【０００４】
導電メッシュの印刷時において、当該導電メッシュの外縁に形成される外縁配線も同時に印刷して形成する場合、凹版に対して導電性組成物が適切に充填されないことにより、当該導電メッシュと外縁配線との間で断線が発生する場合があるという問題がある。【０００５】
本発明が解決しようとする課題は、同時に印刷する網目状電極と外縁配線との間での断線を抑制することができるタッチセンサ及びその製造方法を提供することである。
【課題を解決するための手段】
【０００６】
［１］本発明に係るタッチセンサは、基板と、前記基板上に設けられ、網目状に配置された複数の導体線を有する網目状電極と、前記網目状電極の外縁の少なくとも一部に設けられ、前記網目状電極と一体的に形成された外縁配線と、を備え、前記導体線は、前記外縁配線との接続部における前記導体線の少なくとも一方側部に設けられ、前記外縁配線に近づくに従って漸次的に幅広となる幅広部を含み、下記（１）式及び（２）式を満たすことを特徴とする。
Ａ≦１００［μｍ］・・・（１）
Ｂ／Ａ≧１／２・・・（２）
但し、上記（１）式及び（２）式において、Ａは前記外縁配線の幅であり、Ｂは前記幅広部が設けられている部分における前記導体線の最大幅である。【０００７】
［２］上記発明において、下記（３）式を満たしていてもよい。
Ｃ／Ａ≧１／２０・・・（３）
但し、上記（３）式において、Ｃは前記幅広部を除いた前記導体線の幅である。【０００８】
［３］本発明に係るタッチセンサの製造方法は、凹版に形成された凹パターンに導電性ペーストを充填し、前記凹版に対してドクターブレードを摺動させる第１の工程と、前記導電性ペーストを被転写体に転写する第２の工程と、を備えたタッチセンサの製造方法であって、前記凹パターンは、網目状に配置された複数の線状凹部を有する網目状凹部と、前記網目状凹部の外縁の少なくとも一部と連続的に設けられた外縁凹部と、を有し、前記線状凹部は、前記外縁凹部と接続する部分における前記線状凹部の少なくとも一方側部に設けられ、前記外縁凹部に近づくに従って漸次的に幅広となる幅広凹部を含み、下記（４）式及び（５）式を満たすことを特徴とする。
ａ≦１００［μｍ］・・・（４）
ｂ／ａ≧１／２・・・（５）
但し、上記（４）式及び（５）式において、ａは前記外縁凹部の幅であり、ｂは前記幅広凹部が設けられている部分における前記線状凹部の最大幅である。【０００９】
［４］上記発明において、下記（６）式を満たしていてもよい。
ｃ／ａ≧１／２０・・・（６）
但し、上記（６）式において、ｃは前記幅広凹部を除いた前記線状凹部の幅である。【００１０】
［５］本発明に係るタッチセンサは、基板と、前記基板上に設けられ、網目状に配置された複数の導体線を有する網目状電極と、前記網目状電極の外縁の少なくとも一部に設けられ、前記網目状電極と一体的に形成された外縁配線と、を備え、前記外縁配線は、第１の方向に沿って延在し、且つ、前記網目状電極に接続された第１の延在配線部と、前記第１の延在配線部から第２の方向に沿って延在し、且つ、前記網目状電極に接続された第２の延在配線部と、を有し、前記第１の方向と、前記第２の方向と、は異なる直線上の方向であることを特徴とする。【００１１】
［６］上記発明において、下記（７）式を満たしていてもよい。
１５［°］＜θ＜１６５［°］・・・（７）
但し、上記（７）式において、θは前記第１の方向と前記第２の方向との間における前記網目状電極が接続されている側の角度である。【００１２】
［７］本発明に係るタッチセンサは、基板と、前記基板上に設けられ、網目状に配置された複数の導体線を有する網目状電極と、前記網目状電極の外縁の少なくとも一部に設けられ、前記網目状電極と一体的に形成された外縁配線と、を備え、前記外縁配線は、曲線状の部分を有することを特徴とする。【００１３】
［８］本発明に係るタッチセンサの製造方法は、凹版に形成された凹パターンに導電性ペーストを充填し、前記凹版に対してドクターブレードを摺動させる第１の工程と、前記導電性ペーストを被転写体に転写する第２の工程と、を備えたタッチセンサの製造方法であって、前記凹パターンは、網目状に配置された複数の線状凹部を有する網目状凹部と、前記網目状凹部の外縁の少なくとも一部と連続的に設けられた外縁凹部と、を有し、前記外縁凹部は、第１の方向に沿って延在し、且つ、前記網目状凹部に接続された第１の延在部と、前記第１の延在部から第２の方向に沿って延在し、且つ、前記網目状凹部に接続された第２の延在部と、を有し、前記第１の方向と、前記第２の方向と、は異なる直線上の方向であることを特徴とする。【００１４】
［９］上記発明において、下記（８）式を満たしていてもよい。
１５［°］＜θ＜１６５［°］・・・（８）
但し、上記（８）式において、θは前記第１の方向と前記第２の方向との間における前記網目状凹部が接続されている側の角度である。【００１５】
［１０］本発明に係るタッチセンサの製造方法は、凹版に形成された凹パターンに導電性ペーストを充填し、前記凹版に対してドクターブレードを摺動させる第１の工程と、前記導電性ペーストを被転写体に転写する第２の工程と、を備えたタッチセンサの製造方法であって、前記凹パターンは、網目状に配置された複数の線状凹部を有する網目状凹部と、前記網目状凹部の外縁の少なくとも一部と連続的に設けられた外縁凹部と、を有し、前記外縁凹部は、曲線状の部分を有することを特徴とする。
【発明の効果】
【００１６】
本発明によれば、網目状電極と外縁配線との間の断線を抑制し、当該網目状電極と当該外縁配線との間の導通を確実に確保することができる。
【図面の簡単な説明】
【００１７】
【図１】図１は、本発明の第１実施形態におけるタッチセンサを備えたタッチキーの全体を示す平面図である。
【図２】図２は、図１のII部の拡大図である。
【図３】図３は、本発明の第１実施形態におけるタッチセンサの製造方法の第１の工程における製造装置を示す平面図である。
【図４】図４は、図３のIV部の拡大図である。
【図５】図５（Ａ）及び図５（Ｂ）は、本発明の第１実施形態におけるタッチセンサの製造方法の第１の工程における製造装置を示す断面図である。
【図６】図６（Ａ）及び図６（Ｂ）は、本発明の第１実施形態におけるタッチセンサの製造方法の第２の工程における製造装置を示す断面図である。
【図７】図７（Ａ）〜図７（Ｄ）は、従来のタッチセンサの製造時における第１の工程を示す図であり、図４のVIII−VIII線に沿った断面図に相当する図である。
【図８】図８（Ａ）〜図８（Ｄ）は、本発明の第１の工程において、本発明の第１実施形態におけるタッチセンサの製造時を示す図であり、図４のVIII−VIII線に沿った断面図である。
【図９】図９は、本発明の第２実施形態におけるタッチセンサを備えたタッチキーの全体を示す平面図である。
【図１０】図１０は、本発明の第２実施形態におけるタッチセンサの製造方法の第１の工程における製造装置を示す平面図である。
【図１１】図１１は、図１０のＸI部の拡大図である。
【図１２】図１２（Ａ）及び図１２（Ｂ）は、本発明の第２実施形態におけるタッチセンサの製造方法の第１の工程における製造装置を示す断面図である。
【図１３】図１３（Ａ）及び図１３（Ｂ）は、本発明の第２実施形態におけるタッチセンサの製造方法の第２の工程における製造装置を示す断面図である。
【図１４】図１４（Ａ）〜図１４（Ｄ）は、従来のタッチセンサの製造時における第１の工程を示す断面図である。
【図１５】図１５（Ａ）〜図１５（Ｄ）は、本発明の外縁凹部の変形例を示す平面図であり、図１５（Ａ）は第１変形例を示す図であり、図１５（Ｂ）は第２変形例を示す図であり、図１５（Ｃ）は第３変形例を示す図であり、図１５（Ｄ）は第４変形例を示す図である。
【図１６】図１６（Ａ）〜図１６（Ｄ）は、本発明の外縁配線の変形例を示す平面図であり、図１６（Ａ）は第１変形例を示す図であり、図１６（Ｂ）は第２変形例を示す図であり、図１６（Ｃ）は第３変形例を示す図であり、図１６（Ｄ）は第４変形例を示す図である。
【図１７】図１７は、本発明の実施形態におけるタッチセンサの製造装置の変形例を示す拡大図（図１１相当図）である。
【図１８】図１８は、本発明の実施形態におけるタッチセンサの変形例を示す平面図である。
【図１９】図１９（Ａ）〜図１９（Ｅ）は、実施例５、６及び比較例７、８におけるタッチセンサの製造時の設定を示す平面図である。
【発明を実施するための形態】
【００１８】
＜第１実施形態＞
以下、本発明の実施形態を図面に基づいて説明する。なお、以下の説明で用いる図は、本発明の特徴をわかりやすくするために、便宜上、要部となる部分を拡大して示している場合があり、各構成要素の寸法比率などが実際と同じであるとは限らない。
【００１９】
図１は本発明のタッチセンサ２を備えたタッチキー１の全体を示す平面図であり、図２は図１のII部の拡大図である。
【００２０】
本発明のタッチセンサ２を備えたタッチキー１は、図１に示すように、タッチセンサ２に加え、当該タッチセンサ２と接続されたタッチセンサ駆動回路３と、を備えている。
【００２１】
タッチセンサ２は、基板２１と、基板２１に形成された複数（本例において６つ）の網目状電極２２と、当該網目状電極２２の外縁に設けられた外縁配線２３と、外縁配線２３とタッチセンサ駆動回路３と接続する接続配線２４と、を備えている。
【００２２】
基板２１は、ポリエチレンテレフタレート（ＰＥＴ）、ポリエチレンナフタレート（ＰＥＮ）、ポリイミド（ＰＩ）等の透明なフィルムや、ガラス等から構成される絶縁性の透明基板である。このため、タッチセンサ２の下方にＬＥＤ等のバックライト（不図示）を配置した際に、当該バックライトの光がタッチセンサ２を透過するようになっている。
【００２３】
網目状電極２２は、後述するグラビアオフセット印刷機４によって導電性ペーストを基板２１上に印刷して硬化することによって形成されている。このような導電性ペーストとしては、例えば、銀（Ａｇ）ペーストや銅（Ｃｕ）ペースト等を例示することができる。
【００２４】
網目状電極２２は、図２に示すように、複数の導体線２２１が略直角に交差して形成されたメッシュ状を有している。なお、網目状電極の網目形状は特に限定されない。例えば、正方形や長方形、菱形等の網目形状であってもよく、六角形（ハニカム形状）の網目形状であってもよい。
【００２５】
外縁配線２３は、図１及び図２に示すように、網目状電極２２における図中の上辺に沿って延在するように形成されている。この外縁配線２３は、上述した網目状電極２２と同様の材料及び同様の方法によって一体的に形成されている。なお、網目状電極２２の外縁において、外縁配線２３が設けられる位置は特に限定されない。例えば、網目状電極２２の外縁全てに外縁配線２３が設けられていてもよい。
【００２６】
本実施形態において、外縁配線２３の幅Ａは、下記（１）式を満たしている。
Ａ≦１００［μｍ］・・・（１）
【００２７】
また、本実施形態において、網目状電極２２を構成する導体線２２１が外縁配線２３に接続する部分には、図２に示すように、当該外縁配線２３に近づくに従って漸次的に幅広となる幅広部２２２が設けられている。本実施形態では、外縁配線２３に接続する部分における当該導体線の２２１の両側側部に幅広部２２２が設けられているが、特にこれに限定されない。例えば、外縁配線２３に接続する部分における導体線の２２１の一方側部のみに当該幅広部２２２を設けてもよい。
【００２８】
本実施形態において、外縁配線２３の幅Ａ、幅広部２２２が設けられている部分における導体線２２１の最大幅Ｂ、及び幅広部２２２を除いた導体線２２１の幅Ｃは、下記（２）式及び（３）式を満たしている。なお、下記（３）式は、必須ではないが成り立つことが望ましい。
Ｂ／Ａ≧１／２・・・（２）
Ｃ／Ａ≧１／２０・・・（３）
【００２９】
なお、上記（３）式のＣは、幅広部２２２を除いた部分における導体線２２１全体の平均幅を示す。上記（２）式において、Ｂ／Ａは１以下（１≧Ｂ／Ａ）であることが好ましい。また、上記（３）式において、Ｃ／Ａは１／２以下（１／２≧Ｃ／Ａ）であることが好ましい。
【００３０】
以上のような構成を有するタッチセンサ２は、接続配線２４によってタッチセンサ駆動回路３に接続されている。なお、接続配線２４は、上述した網目状電極２２と同様の材料及び同様の方法によって形成されており、外縁配線２３と一体的に形成されている。
【００３１】
タッチセンサ駆動回路３は、網目状電極２２に高周波電圧を出力する発振部と、入力者が基板２１の表面に触れたとき網目状電極２２の端子電圧が変化するのを検出する検出部と、当該電圧の変化量が所定の閾値よりも大きいか否かを判定する判定部と、を備えている。入力時において、入力者の指が基板２１を介して網目状電極２２に触れると、発振部から出力された高周波電圧は、網目状電極２２、基板２１、及び入力者の指を通じてバイパスし、網目状電極２２の端子電圧は入力前に比べて低下する。入力前後における網目状電極２２の端子電圧を検出部で検出すると共に、当該電圧の変化量を判定部で判定することにより、入力者が入力した位置を決定する。
【００３２】
なお、本実施形態では、上述のように、タッチキーとしてタッチセンサを使用しているが、特にこれに限定されない。例えば、タッチパネルとしてタッチセンサを使用してもよい。この場合には、平行に並んだ複数の網目状電極が平面視において直角に交わるように配置された構造等を当該タッチパネルが有することにより、入力者が入力したタッチパネル上の位置（Ｘ方向の位置及びＹ方向の位置）を検出する。
【００３３】
図３は本実施形態におけるタッチセンサ２の製造方法の第１の工程における製造装置を示す平面図であり、図４は図３のIV部の拡大図であり、図５（Ａ）及び図５（Ｂ）は、本実施形態におけるタッチセンサ２の製造方法の第１の工程における製造装置を示す断面図であり、図６（Ａ）及び図６（Ｂ）は、本実施形態におけるタッチセンサ２の製造方法の第２の工程における製造装置を示す断面図である。なお、第１の工程とは、導電性ペーストを凹パターンに充填するペースト充填工程であり、第２の工程とは、当該凹パターンに充填された導電性ペーストを基板２１に転写する転写工程である。
【００３４】
本実施形態におけるタッチセンサ２の製造時において、製造装置としてはグラビアオフセット印刷機４を用いて、網目状電極２２、外縁配線２３、及び接続配線２４は基板２１上に同時に印刷され、その後硬化することにより形成される。
【００３５】
グラビアオフセット印刷機４は、図３及び図５（Ａ）に示すように、版テーブル４１と、基材テーブル４２と、ドクターブレード４３とディスペンサ４４と、転写ローラ４５と、装置フレーム（架台）４６と、を備えている。
【００３６】
版テーブル４１は、装置フレーム４６に水平に固定されており、板状の凹版（グラビア版）５０が載置される保持面４１１を有している。この保持面４１１には、特に図示しない複数の吸引口が開口しており、凹版５０を吸着保持することが可能となっている。なお、版テーブル４１に凹版５０を固定する方法は、特にこれに限定されない。
【００３７】
この凹版５０の上面には、銅等からなる金属層をエッチング等することで凹パターン５１が形成されている。この凹パターン５１は、タッチセンサ２の網目状電極２２、外縁配線２３、及び接続配線２４に対応した凹パターンを有している。
【００３８】
具体的には、凹パターン５１は、図３又は図４に示すように、網目状電極２２を構成する導体線２２１に対応した線状凹部５２１と、当該線状凹部５２１によって形成された網目状凹部５２（網目状電極２２に対応）と、外縁配線２３に対応した外縁凹部５３と、幅広部２２２に対応した幅広凹部５４と、接続配線２４に対応した接続凹部５５と、を有している。本実施形態では、外縁凹部５３は、網目状凹部５２と連続的に形成されている。また、幅広凹部５４は、線状凹部５２１と外縁凹部５３が接続する部分に形成されており、当該外縁凹部５３に近づくに従って漸次的に幅広となっている。本実施形態では、外縁凹部５３に接続する部分における線状凹部５２１の両側側部に幅広凹部５４が設けられている。なお、外縁配線２３に接続する部分における導体線の２２１の一方側部のみに幅広部２２２を設ける場合には、線状凹部５２１の一方側部のみに当該幅広凹部５４を設けることとなる。
【００３９】
本実施形態においては、外縁配線２３と外縁凹部５３との対応、及び、幅広部２２２と幅広凹部５４との対応から、下記（４）式、（５）式、及び（６）式が成立している。なお、下記（６）式は、必須ではないが成り立つことが望ましい。
【００４０】
ａ≦１００［μｍ］・・・（４）
ｂ／ａ≧１／２・・・（５）
ｃ／ａ≧１／２０・・・（６）
但し、上記（４）式、（５）式、及び（６）式において、ａは外縁凹部５３の幅であり、ｂは幅広凹部５４が設けられている部分における線状凹部５２１の最大幅であり、ｃは幅広凹部５４を除いた線状凹部５２１の幅である。
【００４１】
なお、上記（６）式のｃは、幅広凹部５４を除いた部分における線状凹部５２１全体の平均幅を示す。上記（５）式において、ｂ／ａは１以下（１≧ｂ／ａ）であることが好ましい。また、上記（６）式において、ｃ／ａは１／２以下（１／２≧ｃ／ａ）であることが好ましい。
【００４２】
本実施形態において、基材テーブル４２は装置フレーム４６に水平に固定されており、被印刷体である基板２１が載置される保持面４２１を有している。上述の版テーブル４１の保持面４１１と同様に、この保持面４２１にも複数の吸引口が開口しており、基板２１を吸着保持することが可能となっている。なお、基材テーブル４２に基板２１を固定する方法は、特にこれに限定されない。
【００４３】
ドクターブレード４３は、Ｘ軸に沿って移動可能になっていると共にＺ軸に沿って昇降可能となっている。また、このドクターブレード４３の近傍には、導電性ペースト４７を凹版５０上に供給するディスペンサ４４が配置されている。このディスペンサ４４は、ドクターブレード４３と共にＸ軸及びＺ軸に沿って移動することが可能となっている。ドクターブレード４３とディスペンサ４４を移動させる機構としては、特に図示しないが、例えば、モータを用いたボールねじ機構等を例示することができる。なお、ドクターブレード４３をディスペンサ４４とは独立して移動させてもよい。また、この場合には、ディスペンサ４４を移動させた後にドクターブレード４３を移動させてもよい。
【００４４】
本実施形態では、ディスペンサ４４によって凹版５０上に導電性ペースト４７を供給しながら、版テーブル４１に保持された凹版５０上をドクターブレード４３の先端がＸ軸に沿って摺動することで、当該導電性ペースト４７を凹パターン５１内に充填する。
【００４５】
転写ローラ４５は、ブランケット胴４５１と、当該ブランケット胴４５１の外周に巻回され、シリコーンゴム等から構成されるブランケット４５２と、を備えており、ブランケット胴４５１の中心軸で回転可能に支持されている。また、この転写ローラ４５は、Ｘ軸に沿って移動可能になっていると共にＺ軸に沿って昇降することが可能となっている。この転写ローラ４５を移動させる機構としては、特に図示しないが、例えば、モータを用いたラックアンドピニオンギア機構等を例示することができる。なお、この転写ローラ４５が、ドクターブレード４３やディスペンサ４４と共にＸ軸に沿って移動可能であってもよい。
【００４６】
以上に説明したグラビアオフセット印刷機４を用いてタッチセンサ２を製造する際は、第１の工程として、まず、図５（Ａ）及び図５（Ｂ）に示すように、ディスペンサ４４から凹版５０上に導電性ペースト４７を供給しつつ、ドクターブレード４３を凹版５０に当接させながら、当該ドクターブレード４３とディスペンサ４４を図中＋Ｘ方向に沿って移動させる。これにより、ドクターブレード４３の先端４３１が凹版５０上を摺動する。
【００４７】
次いで、第２の工程として、図６（Ａ）に示すように、ドクターブレード４３とディスペンサ４４を＋Ｚ方向に移動させた状態で図中左端に退避させつつ、転写ローラ４５を版テーブル４１上の凹版５０に押し付けた状態で−Ｘ方向に沿って移動させる。これにより、転写ローラ４５が凹版５０上を転動して、凹版５０の凹パターン５１内に充填されていた導電性ペースト４７が転写ローラ４５のブランケット４５２に受理され、当該ブランケット４５２上に印刷パターン４９が保持される。
【００４８】
次いで、図６（Ｂ）に示すように、転写ローラ４５を移動させて基材テーブル４２上の基板２１に押し付け、その状態で当該転写ローラ４５を−Ｘ方向に沿って移動させる。これにより、転写ローラ４５が基板２１上を転動して、転写ローラ４５のブランケット４５２上に保持されていた印刷パターン４９が基板２１に転写される。なお、本実施形態における基板２１が、本発明の被転写体の一例に相当する。
【００４９】
そして、特に図示しないが、ＩＲ（遠赤外線）乾燥炉等を用いてこの印刷パターン４９を加熱して硬化させることで、タッチセンサ２の網目状電極２２、外縁配線２３、及び接続配線２４が完成する。
【００５０】
なお、本実施形態におけるグラビアオフセット印刷機４は、基板２１を１枚ずつ処理する枚葉式であるが、長尺の基板を連続して搬送するロール・ツー・ロール方式であってもよい。
【００５１】
次に、本実施形態の作用について説明する。
【００５２】
まず、幅広部を有していない従来構造で生じる製造時の現象について説明する。
【００５３】
図７（Ａ）〜図７（Ｄ）は、第１の工程における従来のタッチセンサの製造時を示す断面図であり、図８（Ａ）〜図８（Ｄ）は第１の工程における本発明のタッチセンサ２の製造時を示す断面図である。
【００５４】
従来、ドクターブレード４３の摺動により導電性ペースト４７が凹パターン５１Ｂに充填される際に、当該ドクターブレード４３の延在方向（Ｙ方向）と略同方向に凹パターン５１Ｂの外縁凹部５３Ｂが延在している場合は、ドクターブレード４３の先端４３１が、外縁凹部５３Ｂを通過する際に、当該外縁凹部５３Ｂに入り込む（図７（Ａ））。
【００５５】
次いで、ドクターブレード４３が外縁凹部５３Ｂの縁部５３１に接触し（図７（Ｂ））、ドクターブレード４３の先端４３１が僅かに＋Ｚ方向に跳躍する（図７（Ｃ））。そして、この跳躍により、ドクターブレード４３による線状凹部５２１Ｂへの導電性ペースト４７の押込み力が一瞬弱まる。
【００５６】
これにより、線状凹部５２１Ｂにおける外縁凹部５３Ｂの付近において、導電性ペースト４７が過剰に充填された部分４７１と、導電性ペースト４７の充填が不十分な部分４７２と、が発生することによる充填ムラが生じることとなる（図７（Ｄ））。このため、タッチセンサの完成品にも、導体線２２１の外縁配線２３付近において、当該導体線２２１の形成が不十分な部分が生じ、導体線２２１が断線してしまう場合がある。
【００５７】
これに対し、本実施形態におけるタッチセンサ２の製造時における凹パターン５１の外縁凹部５３の幅ａは、上記（４）式を満たしている。これにより、当該凹パターン５１に導電性ペースト４７を充填する際に、当該ドクターブレード４３の延在方向（Ｙ方向）と同方向に外縁凹部５３が配置されている場合であっても、ドクターブレード４３の先端４３１が当該外縁凹部５３の内部に深く入り込むことが抑制される（図８（Ａ））。
【００５８】
このため、ドクターブレード４３が外縁凹部５３の縁部５３１に接触する際も（図８（Ｂ））、当該ドクターブレード４３の先端４３１の跳躍が軽減され（図８（Ｃ））、線状凹部５２１に導電性ペースト４７が過剰に充填される部分が生じるのを抑制することができる。
【００５９】
さらに、本実施形態における凹パターン５１の線状凹部５２１は、外縁凹部５３と接続する部分において、当該外縁凹部５３に向かって幅広となる幅広凹部５４を有しており、外縁凹部５３の幅ａ、及び、幅広凹部５４が設けられている部分における線状凹部５２１の最大幅ｂは、上記（５）式を満たしている。
【００６０】
このため、ドクターブレード４３が縁部５３１を通過した際において、当該ドクターブレード４３による線状凹部５２１への導電性ペースト４７の押込み力が僅かに減少した場合であっても、幅広凹部５４内に存在する導電性ペースト４７によって当該導電性ペースト４７の充填が不十分となることが抑制される（図８（Ｄ））。なお、この効果は、上記（６）式を満たす場合においてより向上し、当該（６）式におけるｃ／ａが１／２以下（１／２≧ｃ／ａ）である場合においてさらにより向上する。
【００６１】
この様にして、導電性ペースト４７の充填時における充填ムラの発生が軽減されるため、完成したタッチセンサ２の外縁配線２３付近において、導体線２２１の断線が発生するのを抑制することができる。また、幅広部２２２の存在により、タッチセンサ２における導体線２２１と外縁配線２３との接続部において、物理的強度の向上を図ることができると共に熱サイクルが印加された場合における耐久性の向上を図ることができる。なお、これらの効果は、上記（１）〜（３）式を満たす場合においてより向上し、上記（３）式におけるＣ／Ａが１／２以下（１／２≧Ｃ／Ａ）である場合においてさらにより向上する。
【００６２】
なお、図４に示すように、１つの線状凹部５２１の左右に形成される幅広凹部５４の傾斜角度θ１、θ２（線状凹部５２１の延在方向に対する幅広凹部５４の傾斜角度）は、下記（７）式及び（８）式を満たしている。
【００６３】
１５［°］≦θ１・・・（７）
１５［°］≦θ２・・・（８）
【００６４】
この場合において、線状凹部５２１で導電性ペースト４７の充填が不十分となることを抑制する効果がより向上する。これにより、完成したタッチセンサ２の導体線２２１で断線が発生するのをより抑制することができる。
【００６５】
また、上述したタッチセンサ２の製造方法では、外縁配線２３と網目状電極２２とを個別に形成することなく、それらを同時に印刷して形成できるため、タッチセンサ２の製造工程を簡略化することができる。
【００６６】
＜第２実施形態＞
図９は、本発明のタッチセンサ２Ｂを備えたタッチキー１Ｂを示す平面図である。
【００６７】
本発明のタッチセンサ２Ｂを備えたタッチキー１Ｂは、図９に示すように、タッチセンサ２Ｂに加えて、当該タッチセンサ２Ｂと接続されたタッチセンサ駆動回路３を備えている。
【００６８】
タッチセンサ２Ｂは、基板２１と、基板２１の裏側に形成された複数（本例において６つ）の網目状電極２２Ｂと、当該網目状電極２２Ｂの外縁に設けられた外縁配線２３Ｂと、外縁配線２３Ｂとタッチセンサ駆動回路３と接続する接続配線２４と、を備えている。
【００６９】
基板２１は、ポリエチレンテレフタレート（ＰＥＴ）、ポリエチレンナフタレート（ＰＥＮ）、ポリイミド（ＰＩ）等の透明なフィルムや、ガラス等から構成される絶縁性の透明基板である。このため、タッチセンサ２Ｂの下方にＬＥＤ等のバックライト（不図示）を配置した際に、当該バックライトの光がタッチセンサ２Ｂを透過するようになっている。
【００７０】
網目状電極２２Ｂは、グラビアオフセット印刷機４Ｂによって導電性ペーストを基板２１上に印刷して硬化することによって形成されている。このような導電性ペーストとしては、例えば、銀（Ａｇ）ペーストや銅（Ｃｕ）ペースト等を例示することができる。
【００７１】
網目状電極２２Ｂは、複数の導体線２２１が交差して形成されたメッシュ状を有している。なお、網目状電極の網目形状は特に限定されない。例えば、正方形や長方形、菱形等の網目形状であってもよく、六角形（ハニカム形状）の網目形状であってもよい。
【００７２】
外縁配線２３Ｂは、図９に示すように、網目状電極２２Ｂにおける図中の上部において、図中の右下方向（Ｄ１方向）に向かって延在する第１の延在外縁部２３１と、図中の左下方向（Ｄ２方向）に向かって延在する第２の延在外縁部２３２と、を有している。これら第１及び第２の延在外縁部２３１、２３２は、上述した網目状電極２２Ｂと同様の材料及び同様の方法によって一体的に形成されている。なお、外縁配線の形状、及び当該外縁配線が設けられる位置は特に限定されない。例えば、網目状電極２２Ｂの外縁全てに外縁配線２３Ｂが設けられていてもよい。本実施形態における第１の延在外縁部２３１が本発明の第１の延在配線部の一例に相当し、本実施形態における第２の延在外縁部２３２が本発明の第２の延在配線部の一例に相当する。
【００７３】
タッチセンサ２Ｂは、接続配線２４によってタッチセンサ駆動回路３に接続されている。本実施形態において、接続配線２４は、上述した網目状電極２２Ｂと同様の材料及び同様の方法によって形成されており、外縁配線２３Ｂと一体的に形成されている。
【００７４】
タッチセンサ駆動回路３は、網目状電極２２Ｂに高周波電圧を出力する発振部と、入力者が基板２１の表面に触れたとき網目状電極２２Ｂの端子電圧が変化するのを検出する検出部と、当該電圧の変化量が所定の閾値よりも大きいか否かを判定する判定部と、を備えている。入力時において、入力者の指が基板２１を介して網目状電極２２Ｂに触れると、発振部から出力された高周波電圧は、網目状電極２２Ｂ、基板２１、及び入力者の指を通じてバイパスし、網目状電極２２Ｂの端子電圧は入力前に比べて低下する。入力前後における網目状電極２２Ｂの端子電圧を検出部で検出すると共に、当該電圧の変化量を判定部で判定することにより、入力者が入力した位置を決定する。
【００７５】
なお、本実施形態では、上述のように、タッチキーとしてタッチセンサを使用しているが、特にこれに限定されない。例えば、タッチパネルとしてタッチセンサを使用してもよい。この場合には、平行に並んだ複数の網目状電極が平面視において直角に交わるように配置された構造等を当該タッチパネルが有することにより、入力者が入力したタッチパネル上の位置（Ｘ方向の位置及びＹ方向の位置）を検出する。
【００７６】
図１０は本実施形態におけるタッチセンサ２Ｂの製造方法の第１の工程における製造装置を示す平面図であり、図１１は図１０のＸＩ部の拡大図であり、図１２（Ａ）及び図１２（Ｂ）は本実施形態におけるタッチセンサ２Ｂの製造方法の第１の工程における製造装置を示す断面図であり、図１３（Ａ）及び図１３（Ｂ）は本実施形態におけるタッチセンサ２Ｂの製造方法の第２の工程における製造装置を示す断面図である。なお、第１の工程とは、導電性ペーストを凹パターンに充填するペースト充填工程であり、第２の工程とは、当該凹パターンに充填された導電性ペーストを基板２１に転写する転写工程である。
【００７７】
本実施形態におけるタッチセンサ２Ｂの製造時において、製造装置としてはグラビアオフセット印刷機４Ｂを用いて、網目状電極２２Ｂ、外縁配線２３Ｂ、及び接続配線２４を基板２１上に同時に印刷し、その後硬化することにより形成される。
【００７８】
グラビアオフセット印刷機４Ｂは、図１０又は図１２（Ａ）に示すように、版テーブル４１と、基材テーブル４２と、ドクターブレード４３とディスペンサ４４と、転写ローラ４５と、装置フレーム（架台）４６と、を備えている。
【００７９】
版テーブル４１は、装置フレーム４６に水平に固定されており、板状の凹版５０Ｂ（グラビア版）が載置される保持面４１１を有している。この保持面４１１には、特に図示しない複数の吸引口が開口しており、凹版５０Ｂを吸着保持することが可能となっている。なお、版テーブル４１に凹版５０Ｂを固定する方法は、特にこれに限定されない。
【００８０】
この凹版５０Ｂの上面には、銅等からなる金属層をエッチング等することで凹パターン５１Ｐが形成されている。この凹パターン５１Ｐは、タッチセンサ２Ｂの網目状電極２２Ｂ、外縁配線２３Ｂ、及び接続配線２４に対応した凹パターンを有している。
【００８１】
具体的には、凹パターン５１Ｐは、図１１に示すように、網目状電極２２Ｂを構成する導体線２２１に対応した線状凹部５２１と、当該線状凹部５２１によって形成された網目状凹部５２Ｂ（網目状電極２２Ｂに対応）と、外縁配線２３Ｂに対応した外縁凹部５３Ｐと、接続配線２４に対応した接続凹部５５と、を有している。また、外縁凹部５３Ｐは、第１の延在外縁部２３１に対応した第１の延在部５３１Ｐと、外縁配線２３Ｂの第２の延在外縁部２３２に対応した第２の延在部５３２Ｐと、を有している。
【００８２】
本実施形態では、第１及び第２の延在部５３１Ｐ、５３２Ｐは、網目状凹部５２Ｂの外縁の少なくとも一部と連続的に接続されている。また、第１の延在部５３１Ｐは、第１の延在外縁部２３１の延在方向Ｄ１に対応した方向ｄ１に沿って設けられている。同様に、第２の延在部５３２Ｐは、第２の延在外縁部２３２の延在方向Ｄ２に対応した方向ｄ２に沿って設けられている。方向ｄ１及びｄ２は異なる直線上の方向であり、方向ｄ１と方向ｄ２との間における網目状凹部５２Ｂが接続されている側の角度θは、下記（９）式を満たしている。
１５［°］＜θ＜１６５［°］・・・（９）
【００８３】
本実施形態において、基材テーブル４２は装置フレーム４６に水平に固定されており、被印刷体である基板２１が載置される保持面４２１を有している。上述の版テーブル４１の保持面４１１と同様に、この保持面４２１にも複数の吸引口が開口しており、基板２１を吸着保持することが可能となっている。なお、基材テーブル４２に基板２１を固定する方法は、特にこれに限定されない。
【００８４】
ドクターブレード４３は、Ｘ軸に沿って移動可能になっていると共にＺ軸に沿って昇降可能となっている。また、このドクターブレード４３の近傍には、導電性ペースト４７を凹版５０Ｂ上に供給するディスペンサ４４が配置されている。このディスペンサ４４は、ドクターブレード４３と共にＸ軸及びＺ軸に沿って移動することが可能となっている。ドクターブレード４３とディスペンサ４４を移動させる機構としては、特に図示しないが、例えば、モータを用いたボールねじ機構等を例示することができる。なお、ドクターブレード４３をディスペンサ４４とは独立して移動させてもよい。また、この場合には、ディスペンサ４４を移動させた後にドクターブレード４３を移動させてもよい。
【００８５】
本実施形態では、ディスペンサ４４によって凹版５０Ｂ上に導電性ペースト４７を供給しながら、版テーブル４１に保持された凹版５０Ｂ上をドクターブレード４３の先端がＸ軸に沿って摺動することで、当該導電性ペースト４７を凹パターン５１Ｐ内に充填する。
【００８６】
転写ローラ４５は、ブランケット胴４５１と、当該ブランケット胴４５１の外周に巻回され、シリコーンゴム等から構成されるブランケット４５２と、を備えており、ブランケット胴４５１の中心軸で回転可能に支持されている。また、この転写ローラ４５は、Ｘ軸に沿って移動可能になっていると共にＺ軸に沿って昇降することが可能となっている。この転写ローラ４５を移動させる機構としては、特に図示しないが、例えば、モータを用いたラックアンドピニオンギア機構等を例示することができる。なお、この転写ローラ４５が、ドクターブレード４３やディスペンサ４４と共にＸ軸に沿って移動可能であってもよい。
【００８７】
以上に説明したグラビアオフセット印刷機４Ｂを用いてタッチセンサ２Ｂを製造する際は、第１の工程として、まず、図１２（Ａ）及び図１２（Ｂ）に示すように、ディスペンサ４４から凹版５０Ｂ上に導電性ペースト４７を供給しつつ、ドクターブレード４３を凹版５０Ｂに当接させながら、当該ドクターブレード４３とディスペンサ４４を図中＋Ｘ方向に沿って移動させる。これにより、ドクターブレード４３の先端４３１が凹版５０Ｂ上を摺動する。
【００８８】
次いで、第２の工程として、図１３（Ａ）に示すように、ドクターブレード４３とディスペンサ４４を＋Ｚ方向に移動させた状態で図中左端に退避させつつ、転写ローラ４５を版テーブル４１上の凹版５０Ｂに押し付けた状態で−Ｘ方向に沿って移動させる。これにより、転写ローラ４５が凹版５０Ｂ上を転動して、凹版５０Ｂの凹パターン５１Ｐ内に充填されていた導電性ペースト４７が転写ローラ４５のブランケット４５２に受理され、当該ブランケット４５２上に印刷パターン４９が保持される。
【００８９】
次いで、図１３（Ｂ）に示すように、転写ローラ４５を移動させて基材テーブル４２上の基板２１に押し付け、その状態で当該転写ローラ４５を−Ｘ方向に沿って移動させる。これにより、転写ローラ４５が基板２１上を転動して、転写ローラ４５のブランケット４５２上に保持されていた印刷パターン４９が基板２１に転写される。なお、本実施形態における基板２１が、本発明の被転写体の一例に相当する。
【００９０】
そして、特に図示しないが、ＩＲ（遠赤外線）乾燥炉等を用いてこの印刷パターン４９を加熱して硬化させることで、タッチセンサ２Ｂの網目状電極２２Ｂ、外縁配線２３Ｂ、及び接続配線２４が完成する。
【００９１】
なお、本実施形態におけるグラビアオフセット印刷機４Ｂは、基板２１を１枚ずつ処理する枚葉式であるが、長尺の基板を連続して搬送するロール・ツー・ロール方式であってもよい。
【００９２】
次に、本実施形態の作用について説明する。
【００９３】
まず、一方向に延在する形状のみから構成される外縁配線を有する従来構造で生じる製造時の現象について説明する。
【００９４】
図１４（Ａ）〜図１４（Ｄ）は、従来のタッチセンサの製造時における第１の工程を示す断面図である。
【００９５】
従来、ドクターブレード４３の摺動により導電性ペースト４７が凹パターン５１Ｂに充填される際に、当該ドクターブレード４３の延在方向（Ｙ方向）と略同方向に凹パターン５１Ｂの外縁凹部５３Ｂが延在している場合は、ドクターブレード４３の先端４３１が、外縁凹部５３Ｂを通過する際に、当該外縁凹部５３Ｂに入り込む（図１４（Ａ））。
【００９６】
次いで、ドクターブレード４３が外縁凹部５３Ｂの縁部５３１に接触し（図１４（Ｂ））、ドクターブレード４３の先端４３１が僅かに＋Ｚ方向に跳躍する（図１４（Ｃ））。そして、この跳躍により、ドクターブレード４３による線状凹部５２１Ｂへの導電性ペースト４７の押込み力が一瞬弱まる。
【００９７】
これにより、線状凹部５２１Ｂにおける外縁凹部５３Ｂの付近において、導電性ペースト４７が過剰に充填された部分４７１と、導電性ペースト４７の充填が不十分な部分４７２と、が発生することによる充填ムラが生じることとなる（図１４（Ｄ））。このため、タッチセンサの完成品にも、導体線２２１の外縁配線２３Ｂ付近において、当該導体線２２１の形成が不十分な部分が生じ、導体線２２１が断線してしまう場合がある。
【００９８】
これに対し、本実施形態におけるタッチセンサ２Ｂの製造時における凹パターン５１Ｐの外縁凹部５３Ｐは、図１１に示すように、ｄ１方向に沿って設けられた第１の延在部５３１Ｐと、ｄ１方向とは異なる直線上のｄ２方向に沿って設けられた第２の延在部５３２Ｐと、を有しており、それらは互いに接続されている。
【００９９】
これにより、当該凹パターン５１Ｐに導電性ペースト４７を充填する際に、外縁凹部５３Ｐが延在する方向の全てがドクターブレード４３の延在方向と略同方向となることはない。つまり、第１の延在部５３１Ｐ又は第２の延在部５３２Ｐの何れか一方の延在方向が、ドクターブレード４３の延在方向と略同方向となっている場合であっても、第１の延在部５３１Ｐ又は第２の延在部５３２Ｐの他方が延在している方向は、当該ドクターブレード４３の延在方向とは異なる方向となっている。
【０１００】
このため、導電性ペースト４７の充填時において、第１の延在部５３１Ｐ又は第２の延在部５３２Ｐの少なくとも一方は、ドクターブレード４３による摺動によって当該延在部５３１Ｐ、５３２Ｐ内から導電性ペースト４７が掻き上げられることはなく、外縁凹部５３Ｐ付近全域において線状凹部５２１に導電性ペースト４７の充填ムラが生じることはない。これにより、完成したタッチセンサ２Ｂにおいて、外縁配線２３Ｂと導体線２２１との間で断線が発生するのを抑制することができる。なお、この効果は、第１の延在部５３１Ｐの延在方向ｄ１と、第２の延在部５３２Ｐの延在方向ｄ２と、の間の角度θが上記（９）式を満たす場合においてより向上する。
【０１０１】
また、上述したタッチセンサ２Ｂの製造方法では、外縁配線２３Ｂと網目状電極２２Ｂとを個別に形成することなく、それらを同時に印刷して形成できるため、タッチセンサ２Ｂの製造工程を簡略化することができる。
【０１０２】
また、本実施形態における外縁配線２３Ｂを有するタッチセンサ２Ｂでは、第１の延在外縁部２３１がＤ１方向に沿って延在していると共に、第２の延在外縁部２３２はＤ１方向とは異なるＤ２方向に沿って延在している。即ち、外縁配線２３Ｂは、２つの異なる方向成分を有している。このため、タッチセンサ２Ｂに対して外部から折り曲げ応力が印加されることにより当該タッチセンサ２Ｂが湾曲した場合においても、第１の延在外縁部２３１又は第２の延在外縁部２３２の少なくとも一方の延在外縁部は、最大の湾曲角度で湾曲することを回避できる。これにより、折り曲げ応力による外縁配線２３Ｂの断線を抑制できると共に、当該折り曲げ応力に対する外縁配線２３Ｂの耐久性を向上することができる。
【０１０３】
なお、以上に説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【０１０４】
例えば、図１５（Ａ）に示すように、外縁凹部５３Ｃが、接続凹部５５からＸ方向（ｄ１方向）に沿って延在する第１の延在部５３３と、当該第１の延在部５３３から図中右下方向（ｄ２方向）に向かって延在する第２の延在部５３４と、を有する凹版５０Ｂを用いてタッチセンサを製造してもよい。この場合には、図１６（Ａ）に示すように、外縁配線２３Ｃが、配線２４からＤ１方向（ｄ１方向に対応した方向）に沿って延在する第１の延在外縁部２３１Ｃと、当該第１の延在外縁部２３１ＣからＤ２方向（ｄ２方向に対応した方向）に向かって延在する第２の延在外縁部２３２Ｃと、を有するタッチセンサが製造される。
【０１０５】
また、図１５（Ｂ）に示すように、外縁凹部５３Ｄが、接続凹部５５から図中右下方向（ｄ１方向）に沿って延在する第１の延在部５３５と、当該第１の延在部５３５における図中右端から図中右上方向（ｄ２方向）に向かって延在する第２の延在部５３６と、を有する凹版５０Ｂを用いてタッチセンサを製造してもよい。この場合には、図１６（Ｂ）に示すように、外縁配線２３Ｄが、配線２４からＤ１方向（ｄ１方向に対応した方向）に沿って延在する第１の延在外縁部２３１Ｄと、当該第１の延在外縁部２３１ＤからＤ２方向（ｄ２方向に対応した方向）に向かって延在する第２の延在外縁部２３２Ｄと、を有するタッチセンサが製造される。
【０１０６】
また、例えば、図１５（Ｃ）に示す外縁凹部５３Ｅのように、上述の外縁部５３Ｄにおける第２の延在部５３６の図中右端から、図中右下方向（ｄ３方向）に延在する第３の延在部５３７を有する凹版５０Ｂを用いてタッチセンサを製造してもよい。この場合には、図１６（Ｃ）に示すように、外縁配線２３Ｅが、配線２４からＤ１方向（ｄ１方向に対応した方向）に沿って延在する第１の延在外縁部２３１Ｅと、当該第１の延在外縁部２３１ＥからＤ２方向（ｄ２方向に対応した方向）に向かって延在する第２の延在外縁部２３２Ｅと、当該第２の延在外縁部２３２ＥからＤ３方向（ｄ３方向に対応した方向）に向かって延在する第３の延在外縁部２３３Ｅと、を有するタッチセンサが製造される。
【０１０７】
また、図１５（Ｄ）に示すように、外縁凹部５３Ｆが＋Ｘ方向に向かって湾曲する形状を有する凹版５０Ｂを用いてタッチセンサを製造してもよい。この場合には、図１６（Ｄ）に示すように、外縁配線２３Ｆが、配線２４から図中下方向に向かって湾曲する形状を有するタッチセンサが製造される。なお、この場合において、外縁凹部又は外縁配線の形状は特に限定されない。例えば、外縁凹部が−Ｘ方向に向かって湾曲する形状を有していてもよく、Ｙ軸方向に沿って波打つような曲線形状を有していてもよい。また、それらの曲線形状は、外縁凹部の少なくとも一部に形成されていればよく、直線形状が混在していてもよい。
【０１０８】
上記のような形状を有する外縁凹部５３Ｃ〜５３Ｆにおいても、印刷時の導電性ペースト充填時において、外縁凹部５３Ｃ〜５３Ｆと網目状凹部５２Ｂとの境界付近の全域に亘って充填ムラが生じることがない。このため、外縁凹部５３Ｃ〜５３Ｆを有する凹版を用いて製造されたタッチセンサにおいて、外縁配線２３Ｂと網目状電極２２の導体線２２１との間で断線が生じるのを抑制することができる。
【０１０９】
また、上記のような形状の外縁配線２３Ｃ〜２３Ｆを有するタッチセンサにおいても、外縁配線２３Ｃ〜２３Ｆが２つ以上の異なる方向成分をそれぞれ有しているため、タッチセンサに印加される折り曲げ応力による外縁配線２３Ｃ〜２３Ｆの断線を抑制できると共に、当該折り曲げ応力に対する外縁配線２３Ｃ〜２３Ｆの耐久性を向上することができる。
【０１１０】
また、第１実施形態で説明した幅広凹部５４を、第２実施形態で説明した発明に応用してもよい。具体的には、例えば、図１７に示すように、第１の延在部５３１Ｐと線状凹部５２１との接続部に、当該第１の延在部５３１Ｐに近づくに従って漸次的に幅広となる幅広凹部５４を有していると共に、第２の延在部５３２Ｐと線状凹部５２１との接続部に、当該第２の延在部５３２Ｐに近づくに従って漸次的に幅広となる幅広凹部５４を有する凹版５０Ｂを用いてタッチセンサを製造してもよい。
【０１１１】
この場合には、図１８に示すように、第１の延在外縁部２３１Ｐと導体線２２１との接続部に、当該第１の延在外縁部２３１Ｐに近づくに従って漸次的に幅広となる幅広部２２２を有していると共に、第２の延在外縁部２３２Ｐと導体線２２１との接続部に、当該第２の延在外縁部２３２Ｐに近づくに従って漸次的に幅広となる幅広部２２２を有するタッチセンサが製造される。なお、第１の延在部５３１Ｐと線状凹部５２１との接続部又は第２の延在部５３２Ｐと線状凹部５２１との接続部の一方のみに幅広凹部５４を有する凹版５０Ｂを用いてタッチセンサを製造してもよい。
【０１１２】
このような凹版５０Ｂを用いてタッチセンサを製造する際も、印刷時の導電性ペースト充填時において、外縁凹部５３Ｐと網目状凹部５２Ｂとの境界付近の全域に亘って充填ムラが生じることは無いため、製造したタッチセンサにおいて外縁配線２３Ｂと網目状電極２２の導体線２２１との間で断線が生じることを抑制できる。
【０１１３】
また、上記のような外縁配線２３Ｐ及び幅広部２２２を有するタッチセンサにおいても、外縁配線２３Ｐが２つの異なる方向成分Ｄ１、Ｄ２を有しているため、タッチセンサに印加される折り曲げ応力による外縁配線２３Ｐの断線を抑制できると共に、当該折り曲げ応力に対する外縁配線２３Ｐの耐久性を向上することができる。
【０１１４】
以下に、本発明をさらに具体化した実施例及び比較例により本発明の効果を確認した。以下の実施例及び比較例は、上述した実施形態におけるタッチセンサの導体線の断線抑制効果を確認するためのものである。図１９（Ａ）〜図１９（Ｅ）は実施例５、６及び比較例７、８におけるタッチセンサの製造時の設定を示す平面図であり、同図において上述の実施形態における製造装置と同様の構成である部分については同一の符号を付している。
【実施例】
【０１１５】
＜実施例１＞
実施例１では、図３に示すように、Ｙ軸方向に沿うようにドクターブレード４３を配置すると共に、当該ドクターブレード４３の摺動方向が＋Ｘ方向となるように設定した。【０１１６】
また、凹パターンとして、網目状凹部と、当該網目状凹部の上辺に隣接するように配置された外縁凹部と、を凹版に形成した。また、網目状凹部を構成する線状凹部と外縁凹部との接続部には、図４に示すような幅広凹部を形成した。本例では、外縁凹部の幅ａを１００［μｍ］、幅広凹部が設けられている部分における線状凹部の最大幅ｂを７５［μｍ］、線状凹部の幅を２０［μｍ］とした。なお、本例における網目状凹部は、隣り合う線状凹部の中心間距離が１０００［μｍ］となるよう平行に並んだ複数の線状凹部同士が直角に交差して形成されている。【０１１７】
ドクターブレードは、先端の厚さが１００［μｍ］のものを用い、基板としてはＰＥＴフィルムを用いた。また、導電性ペーストとしては熱硬化型の銀（Ａｇ）ペーストを用いた。【０１１８】
本例では、以上のように設定された印刷機を用いて基板に印刷パターンを印刷した後に、当該基板をＩＲ炉で乾燥（１５０［℃］ ４分）することにより銀（Ａｇ）ペーストを硬化した。そして、外縁凹部によって形成された外縁配線と、網目状凹部によって形成された網目状電極との間の導通性を確認し、導通を確認できた場合には「〇」（良）として判定し、導通が確認できなかった場合には「×」（不良）と判定した（断線抑制実験１）。【０１１９】
＜実施例２＞
実施例２では、幅広凹部が設けられている部分における線状凹部の最大幅ｂを５０［μｍ］としたこと以外は、実施例１と同様の要領で試験サンプルを製造した。【０１２０】
＜実施例３＞
実施例３では、外縁凹部の幅ａを５０［μｍ］とし、幅広凹部が設けられている部分における線状凹部の最大幅ｂを５０［μｍ］としたこと以外は、実施例１と同様の要領で試験サンプルを製造した。【０１２１】
＜実施例４＞
実施例４では、外縁凹部の幅ａを５０［μｍ］とし、幅広凹部が設けられている部分における線状凹部の最大幅ｂを３０［μｍ］としたこと以外は、実施例１と同様の要領で試験サンプルを製造した。【０１２２】
以上の実施例１〜４について導体線の断線抑制効果を確認した結果、下記の表１に示すように、実施例１〜４の全てについて、外縁配線と網目状電極との間の導通性を確認することができた。【０１２３】
【表１】
0005934837.tif 000002
【０１２４】
＜実施例５＞
実施例５において、凹版５０Ｂには、凹パターン５１Ａとして、図１９（Ａ）中の下方に向かって延在する網目状凹部５２Ａと、当該網目状凹部５２Ａの上部に配置された外縁部５３Ａと、当該外縁部５３Ａの略中央から図中上方に向かって延在する接続凹部５５を設けた。外縁部５３Ａは、接続凹部５５の下端から、図中右下に向かって延在する第１の延在部５３１Ａ及び図中左下に向かって延在する第２の延在部５３２Ａを有している。本例において、第１及び第２の延在部５３１Ａ、５３２Ａの間は、網目状凹部５２Ａと接続されており、第１及び第２の延在部５３１Ａ、５３２Ａの間の角度θは１２０［°］となっている。【０１２５】
本例では、外縁凹部５３Ａの線幅、及び接続凹部５５の線幅を１００［μｍ］、線状凹部５２Ａの線幅を２０［μｍ］とした。なお、本例における網目状凹部５２Ａは、隣り合う線状凹部５２Ａの中心間距離が１０００［μｍ］となるよう平行に並んだ複数の線状凹部５２Ａ同士が直角に交差して形成されている。【０１２６】
ドクターブレード４３は、先端の厚さが１００［μｍ］のものを用い、基板２１としてはＰＥＴフィルムを用いた。また、導電性ペーストとしては熱硬化型の銀（Ａｇ）ペーストを用いた。ドクターブレード４３の摺動方向は、０［°］（＋Ｙ方向。図１９（Ａ）参照。）、４５［°］（右下方向。図１９（Ｂ）参照。）、９０［°］（＋Ｘ方向。図１９（Ｃ）参照。）、１３５［°］（左下方向。図１９（Ｄ）参照。）、１８０［°］（−Ｙ方向。図１９（Ｅ）参照。）とし、それぞれの摺動方向の場合についてサンプル作成した。【０１２７】
本例では、以上のように設定された印刷機を用いて基板２１に印刷パターン５１Ａを印刷した後に、当該基板２１をＩＲ炉で乾燥（１５０［℃］ ４分）することにより銀（Ａｇ）ペーストを硬化した。そして、接続凹部５５によって形成された接続配線と、網目状凹部５２Ａによって形成された網目状電極との間の導通性を確認し、導通を確認できた場合には「〇」（良）として判定し、導通が確認できなかった場合には「×」（不良）と判定した（断線抑制実験２）。【０１２８】
＜実施例６＞
実施例６では、外縁凹部の形状を、図１５（Ａ）に示す外縁凹部５３Ｃのようにしたこと以外は、実施例５と同様の要領で試験サンプルを製造した。なお、この場合において、第１の延在部５３３と第２の延在部５３４との間の角度θは４５［°］となっている。【０１２９】
以上の実施例５、６について、製造したタッチセンサの導体線の断線抑制効果を確認した結果、下記の表２に示すように、実施例５、６共に、ドクターブレード４３の摺動方向における全ての角度において、外縁配線と網目状電極との間の導通性を確認することができた。【０１３０】
【表２】
0005934837.tif 000003
【０１３１】
＜比較例１＞
比較例１では、外縁凹部の幅ａを１５０［μｍ］としたこと以外は、実施例１と同様の要領で試験サンプルを製造した。【０１３２】
＜比較例２＞
比較例２では、外縁凹部の幅ａを１５０［μｍ］とし、幅広凹部が設けられている部分における線状凹部の最大幅ｂを５０［μｍ］としたこと以外は、実施例１と同様の要領で試験サンプルを製造した。【０１３３】
＜比較例３＞
比較例３では、外縁凹部の幅ａを１５０［μｍ］とし、幅広凹部が設けられている部分における線状凹部の最大幅ｂを２０［μｍ］としたこと以外は、実施例１と同様の要領で試験サンプルを製造した。【０１３４】
＜比較例４＞
比較例４では、幅広凹部が設けられている部分における線状凹部の最大幅ｂを３０［μｍ］としたこと以外は、実施例１と同様の要領で試験サンプルを製造した。【０１３５】
＜比較例５＞
比較例５では、幅広凹部が設けられている部分における線状凹部の最大幅ｂを２０［μｍ］としたこと以外は、実施例１と同様の要領で試験サンプルを製造した。【０１３６】
＜比較例６＞
比較例６では、外縁凹部の幅ａを５０［μｍ］とし、幅広凹部が設けられている部分における線状凹部の最大幅ｂを２０［μｍ］としたこと以外は、実施例１と同様の要領で試験サンプルを製造した。【０１３７】
以上の比較例１〜６について断線抑制実験１を行い、導体線の断線抑制効果を確認した結果、上記の表１に示すように、比較例１〜６の全てについて、外縁配線と網目状電極との間の導通性を確認することはできなかった。【０１３８】
以上のように、外縁凹部の幅ａ及び幅広凹部が設けられている部分における線状凹部の最大幅ｂが、上記式（４）及び（５）式を満たす凹パターンを有する凹版を用いて製造された実施例１〜４では、外縁配線及び網目状電極の間の導通性を確認することができた。【０１３９】
これ対し、外縁凹部の幅ａ及び幅広凹部が設けられている部分における線状凹部の最大幅ｂが、上記式（４）及び（５）式を両方満たしていない凹パターンを有する凹版を用いて製造された比較例１〜６では、外縁配線及び網目状電極の間の導通性を確認することができなかった。【０１４０】
これは、外縁凹部の幅ａが１００（μｍ）より大きくなった場合（比較例１〜３）や、幅広凹部が設けられている部分における線状凹部の最大幅ｂが外縁凹部の幅ａの０．５倍の幅よりも小さくなった場合（比較例２〜６）において、印刷時における導電性ペーストの充填ムラが生じやすくなることに起因する。【０１４１】
＜比較例７＞
比較例７では、外縁凹部の形状を、Ｙ方向に沿って延在する幅１００［μｍ］の一直線状としたこと以外は、実施例５と同様の要領で試験サンプルを製造した。【０１４２】
＜比較例８＞
比較例８では、外縁凹部の形状を、実施例６の形状（図１５（Ａ）に示す外縁凹部５３Ｃ）から第１の延在部５３３を省略した形状としたこと以外は、実施例５と同様の要領で試験サンプルを製造した。【０１４３】
以上の比較例７、８について、断線抑制実験２を行い、製造したタッチセンサの導体線の断線抑制効果を確認した結果、比較例７の試験サンプルにおいては、上記の表２に示すように、ドクターブレード４３の摺動方向が９０［°］の場合に外縁配線と網目状電極との間の導通性を確認することができなかった。また、比較例８の試験サンプルにおいては、ドクターブレード４３の摺動方向が１３５［°］の場合に外縁配線と網目状電極との間の導通性を確認することができなかった。【０１４４】
以上のように、外縁凹部の形状が、少なくとも２つの異なる方向成分を有する形状を備える場合において、当該外縁凹部が形成された凹版を用いて製造された実施例５、６では、ドクターブレード４３の摺動方向によらず、外縁配線及び網目状電極の間の導通性を確認することができた。【０１４５】
これ対し、外縁凹部の形状が、一方向に延在する形状のみを備える場合において、当該外縁凹部が形成された凹版を用いて製造された比較例７、８では、ドクターブレード４３の摺動方向によって外縁配線及び網目状電極の間の導通性を確認することができない場合があった。【０１４６】
これは、外縁凹部が延在する方向の全域とドクターブレード４３の延在方向とが略同方向となった際に、印刷時において導電性ペーストの充填ムラが生じやすくなることに起因する。
【符号の説明】
【０１４７】
１、１Ｂ・・・タッチキー
２、２Ｂ・・・タッチセンサ
２１・・・基板
２２、２２Ｂ・・・網目状電極
２２１・・・導体線
２２２・・・幅広部
２３、２３Ｃ〜２３Ｆ、２３Ｐ・・・外縁配線
２３１、２３１Ｃ〜２３１Ｅ、２３１Ｐ・・・第１の延在外縁部
２３１、２３２Ｃ〜２３２Ｅ、２３２Ｐ・・・第２の延在外縁部
２３３Ｅ・・・第３の延在外縁部
４、４Ｂ・・・グラビアオフセット印刷機
４３・・・ドクターブレード
４５・・・転写ローラ
４７・・・導電性ペースト
５１、５１Ｐ・・・凹パターン
５２、５２Ｂ・・・網目状凹部
５２１・・・線状凹部
５３、５３Ｐ・・・外縁凹部
５３１Ｐ・・・第１の延在部
５３２Ｐ・・・第２の延在部
５４・・・幅広凹部
【図１】
0005934837.tif 000004
【図２】
0005934837.tif 000005
【図３】
0005934837.tif 000006
【図４】
0005934837.tif 000007
【図５】
0005934837.tif 000008
【図６】
0005934837.tif 000009
【図７】
0005934837.tif 000010
【図８】
0005934837.tif 000011
【図９】
0005934837.tif 000012
【図１０】
0005934837.tif 000013
【図１１】
0005934837.tif 000014
【図１２】
0005934837.tif 000015
【図１３】
0005934837.tif 000016
【図１４】
0005934837.tif 000017
【図１５】
0005934837.tif 000018
【図１６】
0005934837.tif 000019
【図１７】
0005934837.tif 000020
【図１８】
0005934837.tif 000021
【図１９】
0005934837.tif 000022